(57)【要約】      （修正有）【課題】簡単かつ確実に美しい二重瞼を形成する二重瞼形成クリップを提供する。【解決手段】1cm〜2cmの線材Ｇをアーチ型に形成し、その一方Ｈの部分にクリップを形成し、ネジＬを通す孔Ｈを開けアーチの内側に瞼押さえ部Ｋとアーチの外側に開閉時必要なツメＪを設けた器具を２個作製し、バタフライ式に合体し孔にバネＩを挿入しネジで留める、押さえ部で上瞼を挟み、瞼の厚さに合わせてネジで調節する。ツメを爪で押さえてクリップを開き、目を閉じて上瞼の好みの場所を挟む、目を開けると瞼が覆い被さりクリップが埋没する。【選択図】図４
2006068295.tif 000002
【特許請求の範囲】
【請求項１】
1〜3cmの線材をアーチ型に成型した器具とクリップを一体化し上瞼を挟み二重瞼を形成する極小クリップ。
【請求項２】
約1cm位の線材をアーチ型に成型した1方にクリップを設けネジを通す孔を開け、アーチの内側に瞼を挟む押さえ部を設け、アーチの外側に開閉時爪をかける為に必要なツメを設けた器具を２個作製し、バタフライ式に孔と孔を合わせ一体化しバネを中央の孔に合わせて挿入しネジで留める、目を閉じて上瞼を挟み瞼に装着し目を開けると瞼が器具に覆い被さり器具が瞼に埋没する仕組の二重瞼形成クリップ。
【請求項３】
クリップ部やアーチ部にカラーコーティングや装飾を施した請求項１〜２の二重瞼形成クリップ。
【請求項４】
孔を開けずに優しく皮膚を挟みイヤリングやブローチ、ボディーピアスの様に身体の自由な場所の皮膚を挟み装飾するクリップ。
【請求項５】
請求項１〜４の記載内容を用いた異なる材質、又は形状の皮膚を挟むクリップ。
【発明の詳細な説明】
【技術分野】
【０００１】
本発明は簡単かつ確実に美しい二重瞼を形成する二重瞼形成クリップに関する。
【背景技術】
【０００２】
人間は昔から美しく有りたいと願い色々な努力をしてきた、特に顔は男女を問わず美しく有りたい物である、口や鼻は勿論、特に目はパッチリと涼しそうな目を好む人が多い中、自分の目に不満を持っている人は多い、その中でも一重瞼の人は二重瞼に憧れている人が多い中、希望を満たしてくれる物がなかった。
【０００３】
従来、多様に使用されて来た、接着剤で瞼を二重に貼り付ける方法(特開平１１−１７１７２８)とテープを瞼に貼る方法(特開２００３−１０２５４６)又は、美容整形によるものだった。
【０００４】
しかし、接着剤は汗や涙など水分に弱く、又、接着時に美しいアーチが描けず、失敗し何度もやり直しを要し、その上接着剤の乾燥にも時間を要していた、又、敏感肌の人には刺激が強く接着剤が肌に合わず、カブレなどを発症し使用出来ない人などあり不具合が多かった、又、テープを貼る方法は剥離し易く、接着時、違和感があり見た目も不自然である、又、美容整形はともすると失敗も伴い、その上金額も高額な為、決心するには勇気がいった。
【特許文献１】特開平１１−１７１７２８
【発明の開示】
【発明が解決しようとする課題】
【０００５】
解決しようとする問題点は、美しい形成アーチの作製と、メイク時の時間の短縮、そして、接着剤のカブレ防止、又、接着方式では時間が経つと、剥離してアーチが浮き上がり化粧崩れしていた。
【課題を解決するための手段】
【０００６】
本発明は上記の目的を達成するために、1cm〜３cmほどの線材をアーチ型に成型した図１のＡとＢのクリップを一体化し上瞼を挟み、二重瞼を形成する構成からなる。
【０００７】
又、図３は、装着時の図であるが、留め具のクリップ(イ)の部分に装飾を施すと美しい。
【０００８】
又、図１は、留め具が見えるオープン式だが、瞼に隠れてしまう埋没式に作製した器具、図４など形成、形状は任意である。
【発明の効果】
【０００９】
上記に説明した様に、本発明の二重瞼形成クリップはワンタッチで美しい二重瞼のアーチが形成できるだけでなく長い間悩みであった、接着方式やテープ方式の水分で剥離する問題を解決するばかりでなく、接着剤にカブレたりする心配もなく、朝のメイク時間の短縮にも効果が大きい。
【００１０】
又、一重瞼の解決だけでなく二重瞼の人でも、年を重ねて瞼が垂れ老けて見えるのが長年の悩みであった、その悩みを解決するために、本発明のクリップを使用すると、クッキリとした目元で若々しく見える。
【００１１】
又、二重瞼の人でも自分の意に添わない二重瞼のアーチを自由な場所にアーチを描き保持でき、又、アクセサリーにもなる。
【００１２】
又、男性や片方だけ二重の人など様々な悩みを解決し、若者から年配者まで使用できる。
【発明を実施するための最良の形態】
【００１３】
添付図面に基づいて、本発明の好適な実施例を説明する。
【００１４】
図１は、オープン式の二重瞼形成クリップである、二重瞼を形成するための、アーチ部Ａと瞼を挟むクリップ部Ｂで構成されている、まず、線材で図１のアーチ部Ａを形成しＥの位置にネジを通す孔をもうける、Ｅの孔にクリップ部Ｂの孔を合わせＢの孔と孔の間にＤのバネを挿入しＣのネジで固定し、左右対称に作製する。
【００１５】
又、図２は図１の斜視図である、図２のＦは半円球状の押さえ部で瞼を傷つける事なく押さえ、ネジ、(又はバネ)で瞼の厚さに合わせて調節出来る様にネジを設ける、又、球状の肌に触れる部分に滑り止めを付けるとよい。
【００１６】
図４は、瞼に埋没する様に作製した二重瞼形成クリップである、好適な実施例として、1cm〜2cmの線材Ｇをアーチ型に形成しその１方Ｈの部分にクリップを形成し、ネジを通す孔を開け、アーチの内側に瞼を押さえる押さえ部Ｋとアーチの外側に開閉時必要なツメＪを設けた器具を２個作製し、バタフライ式に合体しＨ部の孔にＩのバネを挿入しＬのネジで留める、Ｋは上瞼を挟む押さえ部であり、瞼の厚さに合わせて調節できる様にネジを設ける、Ｊはクリップを開閉する時に必要なツメ部である。
【００１７】
図４の使用方法として、まず、Ｊのツメを爪で押さえクリップを開き、目を閉じて上瞼の好みの場所を挟む、目を開けると瞼が覆い被さり瞼にクリップが埋没する仕組である、人によって埋没する差はあるが、装飾してあると見えても、目をつぶっても美しい。
【００１８】
又、このクリップはアクセサリーを製作する工具等でこの様な形状に加工し、材料はアクセサリーに使用される金属類を使用し、宝石等で装飾した物であるが安値に仕上げる為と金属アレルギーの人の為に、プラスチックや柔軟樹脂、ゴム状樹脂等を使用し、鋳造成型してもよい、又、異素材の組み合わせ等多様な材料や形状、サイズ等は任意である。
【００１９】
又、アイシャドーの色に合わせて、カラーコーティングを施し、ラメやラインストーンで装飾すると美しい。
【００２０】
又、今まで痛い思いをしていたボディーピアスの代わりに孔を開けずに装飾出来るアクセサリーとして、肌をクリップで留める方式のアクセサリーを提供すると共に、まれにネックレスで肩の凝る人の為にクサリを使わずやさしく皮膚を留めて胸元を飾るクリップ式のブローチ、コサージュや揺れる宝石等、思いのままの場所に装飾出来る新しいアクセサリーの提案を提供する。
【図面の簡単な説明】
【００２１】
【図１】オープン式二重瞼形成クリップの正面図
【図２】図１の斜視図
【図３】図１の装着図
【図４】埋没式二重瞼形成クリップの斜視図
【符号の説明】
【００２２】
A            アーチ型形成部
B            クリップ部
C            ネジ
D            バネ
E            アーチ部孔
F            半円球状の押さえ部
G            アーチ部
H            孔
I            バネ
J            ツメ
K            押さえ部
L            ネジ
イ            図１のクリップ部
【図１】
2006068295.tif 000003
【図２】
2006068295.tif 000004
【図３】
2006068295.tif 000005
【図４】
2006068295.tif 000006